(57)【要約】      （修正有）【課題】  コネクタの套装状態を簡単に得られ、経時変化や気候に因る同軸ケーブルの外被の縮小を防ぎ、縮小によって生じる悪影響の発生を回避する同軸コネクタの樹脂カバーを提供する。【解決手段】  シェル５の先端に締付け金具６を螺合して同軸ケーブルＣの末端に組付け、前記シェル５の基端に設けた雄ねじ１４を機器１５に螺合して取付けるようにした同軸ケーブル用コネクタＢを套装するコネクタ用樹脂カバーであって、前記コネクタＢの軸線に沿う一半を係合する凹入部３を備えた、一対の一半材２，２´を前記軸線に沿う一端をヒンジ１で互いに接続する。該各一半材２，２´の前記一端に対応する他の一端に、一半材２，２´間において互いに止着する雌雄部材４ａ，４ｂの一方を設けると共に、前記凹入部３の前記軸線方向の一端側に前記ケーブルコネクタＢを取付けたときの同軸ケーブルＣの外被に喰い込む喰い込み片１０，…を前記軸線に沿わせて列設する。【選択図】  図１
2006147176.tif 000002
【特許請求の範囲】
【請求項１】
シェルの先端に締付け金具を螺合して同軸ケーブルの末端に組付け、前記シェルの基端に設けた雄ねじを機器に螺合して取付けるようにした同軸ケーブル用コネクタを套装するコネクタ用樹脂カバーであって、前記コネクタの軸線に沿う一半を係合する凹入部を備えた、一対の一半材を前記軸線に沿う一端をヒンジで互いに接続して成り、該各一半材の前記一端に対応する他の一端に、一半材間において互いに止着する雌雄部材の一方を設けると共に、前記凹入部の前記軸線方向の一端側に前記ケーブルコネクタを取付けたときの同軸ケーブルの外被に喰い込む喰い込み片を前記軸線に沿わせて列設した、同軸ケーブル用コネクタの樹脂カバー。
【発明の詳細な説明】
【技術分野】
【０００１】
シェル（コネクタ本体）の先端に締付け金具を螺合して同軸ケーブルの末端に組付け、前記シェルの基部に設けた雄ねじを機器に螺合して取付けて用い、前記同軸ケーブルと前記機器とを電気的に接続するようにした同軸ケーブル用コネクタがあるが、本発明は、この同軸用ケーブルコネクタの防水、防食を図るために適用する保護カバーに関するものである。
【背景技術】
【０００２】
機器に組付けたコネクタの防水効果を図るために、該コネクタをカバーによって套装するようにした構造のものは公知である（例えば、特許文献１）。
【０００３】
【特許文献１】特開２０００−３０７９４号公報
【発明の開示】
【発明が解決しようとする課題】
【０００４】
前記従来例はコネクタを套装して防水効果を図るものではあるが、シェルに締付け金具を螺合して同軸ケーブルと機器とを電気的に接続するようにした同軸ケーブル用コネクタの保護カバーに適用できる構造になっていない。
【０００５】
本発明は、概して屋外に露出して用いられる前記同軸ケーブル用コネクタに適用するに好適な保護カバーを提供することを目的として創案したものである。
【課題を解決するための手段】
【０００６】
シェルの先端に締付け金具を螺合して同軸ケーブルの末端に組付け、前記シェルの基端に設けた雄ねじを機器に螺合して取付けるようにした同軸ケーブル用コネクタを套装するコネクタ用樹脂カバーであって、前記コネクタの軸線に沿う一半を係合する凹入部を備えた、一対の一半材を前記軸線に沿う一端をヒンジで互いに接続して成り、該各一半材の前記一端に対応する他の一端に、一半材間において互いに止着する雌雄部材の一方を設けると共に、前記凹入部の前記軸線方向の一端側に前記ケーブルコネクタを取付けたときの同軸ケーブルの外被に喰い込む喰い込み片を前記軸線に沿わせて列設した構成とするのである。
【発明の効果】
【０００７】
本発明によれば、同軸ケーブルの末端に組付けた状態のコネクタの一半を対応する一半材に備えた凹入部に係合するようにして一半材同士を止具の雌雄部材同士を互いに止着することによってコネクタの套装状態を簡単に得ることができ、また、同軸ケーブルの外被部分に喰い込む喰い込み片の存在によって、経時変化や気候に因る外被の収縮を防げ、収縮に因って生じる悪影響を回避することができる。
【実施例】
【０００８】
図面は本発明に係る同軸ケーブル用コネクタの保護カバーの一実施例を示し、図１は使用状態を示す断面図、図２は開放した状態の保護カバーの正面図、図３は図２の側面図、図４は図２ａ−ａ線断面図、図５は図３ｂ−ｂ線断面図、図６は止具部分の一部欠截正面図である。
【０００９】
図中、Ａは保護カバーで、保護カバーＡは、コネクタＢの軸線に沿う一端をヒンジ１で互いに接続した半筒状の一対の一半材２，２´で構成し、一半材２，２´は相対向面側に前記コネクタＢの凹入部３，３を備え、該凹入部３，３に同軸ケーブルＣの末端部に組付けた状態の前記コネクタＢの一半をそれぞれ係合し、前記軸線に沿う一端に対応する他の一端側の外周面に突設した止具４の雌雄材４ａ，４ｂを互いに止着することにより前記コネクタＢを套装するものである。
【００１０】
前記一半材２，２´は、前記凹入部３の前記軸線の一端側すなわち前記コネクタＢのシェル５の基端側に該シェル５の六角状外周部５ａ（工具を係止するための）の前記軸線に沿う一半を係合する、断面半円状の第一凹入部３ａと成し、他の一端側すなわち前記シェル５に基端側を螺合締付けた締付け金具６の先端側の他の一端部をコネクタＢを組付けた同軸ケーブルＣの外被Ｃａ部の前記軸線に沿う一半を係合する第二凹入部３ｂと成し、これら第一、第二の凹入部３ａ，３ｂ間を前記締付け金具６の外周面六角形と部分的に一致する断面角形状にして、締付け金具６の一半を係合する第三凹入部３ｃとしたものである。
【００１１】
なお、シェル５の六角状外周部５ａを係合する凹入部３ａを断面半円状（一半材２，２´を重ね合わせたときは円形となる）とする一方で、締付け金具６の外周面六角形部を係合する凹入部３ｃを断面角形状（一半材２，２´を重ね合わせたときは断面六角形となる）としたのは、シェル５に締付け金具６を螺合締付けたとき、両者５，６の前記外周面六角形部の位置関係が一定でないため、シェル５側の六角形を、いわば円形で吸収して、締付け金具６側の角形に合わせて保護カバーＡをコネクタＢに組付けができるようにしたもので、実施例とは反対に、第一凹入部３ａ側を半六角形状にする一方、第三凹入部３ｃを断面半円状にしても良い。
【００１２】
そして、第一凹入部３ａと第三凹入部３ｂ間に第一シール材７を貼着してシェル５（の前記六角状外周部５ａ）と該シェル５に螺合締付けた前記締付け金具６との間に設けたシールリング８部を套装するようにし、また、第二凹入部３ｂと第三凹入部３ｃとの間には同様に第二シール材９を装置し、締付け金具６の先端と同軸ケーブルＣ（の外被Ｃａ）との境界部に重ね合わせ同軸ケーブルＣ（の外被Ｃａ）を伝わってコネクタ内に侵入する雨水を遮断するようにしてある。
【００１３】
第二シール材９より先端側に存する前記第二凹入部３ｂは断面櫛歯状にして喰い込み片１０，…を前記軸線に沿って列説し、該喰い込み片１０の円曲面状の内端面１０ａが該凹入部３ｂに係合させた同軸ケーブルＣの外被Ｃａに喰い込む（ケーブルＣの電気特性に影響を与えない程度であることは勿論である）ようにしてある。
【００１４】
また、一半材２，２´の外周面は、前記第一凹入部３ａと対応する部分を断面円形状とし、他の部分を断面六角形状となるように断面半円状又は断面六角形状としたもので、前記止具４を構成する雌雄材４ａ，４ｂは、この外周面の適所に設けてある。
【００１５】
雌材４ａは前記軸線と直交する方向（同軸ケーブルの接線方向）に設けた受止孔１１を備え、該受止孔１１の内壁に設けた受止段部１１ａに、雄材４ｂの前記受止孔１１に嵌挿した一対の係止片１２の係止爪１２ａを係止させるようにしたものである。
【００１６】
しかして、同軸ケーブルＣの末端部に常法により組付けた同軸ケーブル用コネクタＢのシェル５（コネクタＢ）の基部の雄ねじ部１４を機器１５に螺合して前記同軸ケーブルＣを機器１５に接続した状態にある前記コネクタＢの締付け金具の断面六角状の外周面と一致させるようにして保護カバーＡの各一半材２，２´を重ね合わせ、雌雄材４ａ，４ｂを互いに止着するとコネクタＢの保護カバーＡによる套装状態を得られる。
【００１７】
この套装状態において、同軸ケーブルＣのカバーＡ内に装置された外被Ｃａ部には喰い込み片１０が喰い込み、外被Ｃａ部の移動（縮小）が規制され、当初の、同軸ケーブルＣと機器１５との接続状態を確実に維持することができる。
【図面の簡単な説明】
【００１８】
【図１】使用状態を示す断面図。
【図２】開放した状態の保護カバーの正面図。
【図３】図２の側面図。
【図４】図２ａ−ａ線断面図。
【図５】図３ｂ−ｂ線断面図。
【図６】止具部分の一部欠截正面図。
【符号の説明】
【００１９】
１          ヒンジ
２，２´    一半材
３          凹入部
４ａ        雌材
４ｂ        雄材
５          シェル
６          締付け金具
１０        喰い込み片
１４        雄ねじ
１５        機器
Ｂ          同軸ケーブル用コネクタ
Ｃ          同軸ケーブル
【図１】
2006147176.tif 000003
【図２】
2006147176.tif 000004
【図３】
2006147176.tif 000005
【図４】
2006147176.tif 000006
【図５】
2006147176.tif 000007
【図６】
2006147176.tif 000008